(57)【要約】【課題】小型で待機時消費電力が低い電源供給装置を提供する。【解決手段】インバータ２４は、整流器２２に電気的に接続し、第１の電源出力端部ＶＡおよびスタンバイ電源出力端部Ｖｓｂを有し、スタンバイ電源出力端部Ｖｓｂが電子システムＰＳに電気的に接続している。制御装置２６は、インバータ２４に電気的に接続している。電源管理装置２８は、制御装置２６および電子システムＰＳに電気的に接続している。スイッチデバイス３０は、第１の電源出力端部ＶＡ、電源管理装置２８および電子システムＰＳに電気的に接続し、電源管理装置２８の制御に基づき、第１の電源出力端部ＶＡが出力する電力をオンまたはオフに切り換える。【選択図】図２
0003186001.tif 000002
【実用新案登録請求の範囲】
【請求項１】
電源である交流電力供給装置および電力の供給を受ける電子システムに接続し、交流電力供給装置からの交流電力を受け取ってエネルギー転換を行って電子システムに電力を供給する電源供給装置であって、
整流器と、
前記整流器に電気的に接続し、第１の電源出力端部およびスタンバイ電源出力端部を有し、前記スタンバイ電源出力端部が前記電子システムに電気的に接続しているインバータと、
前記インバータに電気的に接続している制御装置と、
前記制御装置および前記電子システムに電気的に接続している電源管理装置と、
前記第１の電源出力端部、前記電源管理装置および前記電子システムに電気的に接続し、前記電源管理装置の制御に基づき、前記第１の電源出力端部が出力する電力をオンまたはオフに切り換えるスイッチデバイスと、を具えることを特徴とする電源供給装置。
【請求項２】
前記インバータは、第２の電源出力端部をさらに有し、前記電源管理装置の制御に基づき、前記第１の電源出力端部および前記第２の電源出力端部が出力する電力をオンまたはオフに切り換える前記スイッチデバイスに電気的に接続していることを特徴とする請求項１に記載の電源供給装置。
【請求項３】
前記第２の電源出力端部、前記スタンバイ電源出力端部および前記制御装置に電気的に接続し、前記第２の電源出力端部および前記スタンバイ電源出力端部が出力する電力を前記制御装置に伝達する第１のディスコネクトスイッチをさらに有することを特徴とする請求項２に記載の電源供給装置。
【請求項４】
前記スタンバイ電源出力端部に電気的に接続したスタンバイ電源インバータと、
前記第１の電源出力端部に電気的に接続し前記、第２の電源出力端部および前記第３の電源出力端部を有し、前記第２の電源出力端部および前記第３の電源出力端部は前記スイッチデバイスに電気的に接続し、前記スイッチデバイスは前記電源管理装置の制御に基づき、前記第１の電源出力端部、前記第２の電源出力端部および前記第３の電源出力端部が出力する電力をオンまたはオフに切り換えるＤＣ−ＤＣコンバータと、をさらに有することを特徴とする請求項１に記載の電源供給装置。
【請求項５】
前記第１の電源出力端部および前記制御装置に電気的に接続し、前記第１の電源出力端部が出力する電力を前記制御装置に伝達する第１のディスコネクトスイッチをさらに有することを特徴とする請求項４に記載の電源供給装置。
【請求項６】
前記電源管理装置および前記制御装置に電気的に接続し、前記電源管理装置が発信した保護信号を前記制御装置に伝達する第２のディスコネクトスイッチ３４と、
前記電源管理装置および前記制御装置に電気的に接続し、前記制御装置が発信した制御信号を前記電源管理装置に伝達する第３のディスコネクトスイッチと、をさらに有することを特徴とする請求項３または５に記載の電源供給装置。
【請求項７】
前記交流電力供給器および前記整流器に電気的に接続しているＥＭＩフィルターをさらに有することを特徴とする請求項６に記載の電源供給装置。
【請求項８】
前記インバータは、ＤＣ−ＤＣコンバータであることを特徴とする請求項７に記載の電源供給装置。
【請求項９】
前記インバータは、ＬＬＣ電流共振コンバータ、ダブルフォワードコンバーターまたはシングルフォワードコンバーターであることを特徴とする請求項８に記載の電源供給装置。
【請求項１０】
電源である交流電力供給装置および電力の供給を受ける電子システムに接続し、交流電力供給装置からの交流電力を受け取ってエネルギー転換を行って電子システムに電力を供給する電源供給装置であって、
整流器と、
前記整流器に電気的に接続し、第１の電源出力端部を有するインバータと、
第１の電源出力端部に電気的に接続し、第２の電源出力端部、第３の電源出力端部およびスタンバイ電源出力端部を有し、前記スタンバイ電源出力端部は前記電子システムに電気的に接続しているＤＣ−ＤＣコンバータと、
前記インバータに電気的に接続している制御装置と、
前記制御装置、前記ＤＣ−ＤＣコンバータおよび前記電子システムに電気的に接続している電源管理装置と、
前記第１の電源出力端部、前記第２の電源出力端部、前記第３の電源出力端部、前記電源管理装置および前記電子システムに電気的に接続し、前記電源管理装置の制御に基づき、前記第１の電源出力端部、前記第２の電源出力端部および前記第３の電源出力端部が出力し、前記電子システムに伝達する電力をオンまたはオフに切り換えるスイッチデバイスと、を具えることを特徴とする電源供給装置。
【請求項１１】
前記第１の電源出力端部および前記制御装置に電気的に接続し、前記第１の電源出力端部が出力する電力を前記制御装置に伝達する第１のディスコネクトスイッチと、
前記電源管理装置および前記制御装置に電気的に接続し、前記電源管理装置が発信した保護信号を前記制御装置に伝達する第２のディスコネクトスイッチと、
前記電源管理装置および前記制御装置に電気的に接続し、前記制御装置が発信した制御信号を前記電源管理装置に伝達する第３のディスコネクトスイッチと、をさらに有することを特徴とする請求項１０に記載の電源供給装置。
【請求項１２】
前記交流電力供給器および前記整流器に電気的に接続しているＥＭＩフィルターをさらに有することを特徴とする請求項１１に記載の電源供給装置。
【請求項１３】
前記インバータは、ＤＣ−ＤＣコンバータであることを特徴とする請求項１２に記載の電源供給装置。
【請求項１４】
前記インバータは、ＬＬＣ電流共振コンバータ、ダブルフォワードコンバーターまたはシングルフォワードコンバーターであることを特徴とする請求項１３に記載の電源供給装置。
【考案の詳細な説明】
【技術分野】
【０００１】
本考案は、電源供給装置に関し、特に、待機時消費電力が低い電源供給装置に関する。
【背景技術】
【０００２】
以下、従来技術を図面に基づいて説明する。図１を参照する。図１は、従来技術による電源供給装置の回路を示すブロック図である。図１に示すように、電源供給装置１は、交流電力供給器ＡＣＰおよび電子システムＰＳに接続している。電源供給装置１は、交流電力供給器（電源）ＡＣＰの出力した交流電力を受け取り、エネルギー転換を行い、電子システムＰＳに供給する。電源供給装置１は、ノーマルモードまたは待機モードで操作を行なう。ノーマルモードとは、電源供給装置１が電子システムＰＳの操作に必要な電力を供給することを指す。この時、電源供給装置１に接続した電子システムＰＳは、オン状態である。また、待機モードは、電子システムＰＳがオフ状態である。
【０００３】
電源供給装置１は、ＥＭＩフィルター１０、整流器１１、メインインバータ１２、サブインバータ１３、第１の制御装置１４、第２の制御装置１５、電源管理装置１６、第１のアイソレータＯＣ１、第２のアイソレータＯＣ２、第３のアイソレータＯＣ３および第４のアイソレーＯＣ４を含む。
【０００４】
ＥＭＩフィルター１０は、整流器１１に電気的に接続し、整流器１１は、メインインバータ１２およびサブインバータ１３に電気的に接続し、第１の制御装置１４は、整流器１１およびメインインバータ１２に電気的に接続し、第２の制御装置１５は、サブインバータ１３に電気的に接続し、電源管理装置１６は、メインインバータ１２およびサブインバータ１３に電気的に接続している。
【０００５】
第１のアイソレータＯＣ１は、メインインバータ１２の第１の電源出力端部ＶＡおよび第１の制御装置１４に電気的に接続し、第２のアイソレータＯＣ２は、サブインバータ１３のスタンバイ電源出力端部Ｖｓｂおよび第２の制御装置１５に電気的に接続し、第３のアイソレータＯＣ３および第４のアイソレータＯＣ４は、それぞれ電源管理装置１６および第１の制御装置１４に電気的に接続している。第１のアイソレータＯＣ１、第２のアイソレータＯＣ２、第３のアイソレータＯＣ３および第４のアイソレータＯＣ４は、例えば、それぞれフォトカプラでもよい。
【０００６】
電源供給装置１は、交流電力供給器ＡＣＰの出力した交流電力を受け取る。交流電力が電源供給装置１に入力されると、ＥＭＩフィルター１０が交流電力内の電磁ノイズを除去し、整流器１１がＥＭＩフィルター１０の出力した交流電力を直流電力に変換して出力する。整流器１１には、力率改善回路１１０を加えて入力電流量を低下させることもできる。
【０００７】
メインインバータ１２は、整流器１１の出力した直流電力を受け取り、第１の制御装置１４の制御を受け、第１の電源出力端部ＶＡおよび第２の電源出力端部ＶＢに出力する電力を変える。メインインバータ１２は、ＤＣ−ＤＣコンバータで、例えば、ＬＬＣ電流共振コンバータ、ダブルフォワードコンバーターまたはシングルフォワードコンバーターでもよい。サブインバータ１３は、整流器１１の出力した直流電力を受け取り、第２の制御装置１５の制御を受け、出力する電力を変える。サブインバータ１３は、例えば、フライバックコンバーターでもよい。
【０００８】
メインインバータ１２は、ノーマルモードにおいて、エネルギー転換を行い、直流電力を主電力に転換して第１の電源出力端部ＶＡおよび第２の電源出力端部ＶＢから出力する。待機モードにおいては、エネルギー転換を行わず、電力を出力しない。要するに第１の電源出力端部ＶＡおよび第２の電源出力端部ＶＢから電力を出力しないのである。
【０００９】
電源供給装置１は、メインインバータ１２およびサブインバータ１３を共に含むため、体積が大きい。また、ノーマルモードにおいて、メインインバータ１２およびサブインバータ１３が同時にエネルギー転換を行なうため、電源供給装置１のエネルギー消耗が大きいという短所があった。
【先行技術文献】
【特許文献】
【００１０】
【特許文献１】特開２００２−３６８９０３号公報
【特許文献２】特開２００４−２４７４８９７号公報
【考案の概要】
【考案が解決しようとする課題】
【００１１】
本考案の目的は、小型で待機時消費電力が低い電源供給装置を提供することにある。
【課題を解決するための手段】
【００１２】
上述の目的を達成するため、本考案は、電源供給装置を提供する。本考案の電源供給装置は、交流電力供給装置および電子システムに接続し、交流電力供給器の出力した交流電力を受け取り、エネルギー転換を行い、電子システムに供給する。整流器、インバータ、制御装置、電源管理装置およびスイッチデバイスを含む。インバータは、整流器に電気的に接続し、第１の電源出力端部およびスタンバイ電源出力端部を有する。スタンバイ電源出力端部が電子システムに電気的に接続している。制御装置は、インバータに電気的に接続している。電源管理装置は、制御装置および電子システムに電気的に接続している。スイッチデバイスは、第１の電源出力端部、電源管理装置および電子システムに電気的に接続し、電源管理装置の制御に基づき、第１の電源出力端部が出力する電力をオンまたはオフに切り換える。
【考案の効果】
【００１３】
本考案の電源供給装置は、従来の電源供給装置と異なり、付属していた電源転換器を設ける必要がなくなり、電源供給装置の体積を効果的に縮小することができる。また、エネルギー消費を減少させ、待機時における省エネを実現させることができる。
【図面の簡単な説明】
【００１４】
【図１】従来技術による電源供給装置の回路を示すブロック図である。
【図２】本考案の第１の実施形態による電源供給装置の回路を示すブロック図である。
【図３】本考案の第１の実施形態による電源転換器の回路を示す図である。
【図４】本考案の第２の実施形態による電源転換器の回路を示す図である。
【図５】本考案の第３の実施形態による電源転換器の回路を示す図である。
【図６】図２の電源供給装置の動作を示すシーケンス図である。
【図７】図２の電源供給装置の動作を示すもう一つのシーケンス図である。
【図８】本考案の第２の実施形態による電源供給装置の回路を示すブロック図である。
【図９】本考案の第３の実施形態による電源供給装置の回路を示すブロック図である。
【考案を実施するための形態】
【００１５】
以下、本考案の実施形態を図面に基づいて説明する。
【００１６】
図２を参照する。図２は、本考案の一実施形態による電源供給装置の回路を示すブロック図である。図２に示すように、本考案の電源供給装置２は、交流電力供給器ＡＣＰおよび電子システムＰＳに接続している。電源供給装置２は、交流電力供給器ＡＣＰの出力した交流電力を受け取り、エネルギー転換を行い、電子システムＰＳに供給する。
【００１７】
電源供給装置２は、ＥＭＩフィルター２０、整流器２２、インバータ２４、制御装置２６、電源管理装置２８およびスイッチデバイス３０を具える。ＥＭＩフィルター２０は、交流電源供給器ＡＣＰに電気的に接続し、交流電力供給装置ＡＣＰの提供する交流電力を受け取り、交流電力内の電磁ノイズを除去する。
【００１８】
整流器２２は、ＥＭＩフィルター２０の出力する交流電力を直流電力に変換して出力する。整流器２２には、力率改善回路１１０を加えて入力電流量を低下させる。
【００１９】
インバータ２４は、整流器２２および制御装置２６に電気的に接続し、スタンバイ電源出力端部Ｖｓｂ、第１の電源出力端部ＶＡおよび第２の電源出力端部ＶＢを有する。インバータ２４は、整流器２２の出力した交流電力を供給され、制御装置２６の制御を受けて、スタンバイ電源出力端部Ｖｓｂ、第１の電源出力端部ＶＡおよび第２の電源出力端部ＶＢの出力する電力の電圧値を変える。
【００２０】
電源管理装置２８は、インバータ２４、制御装置２６および電子システムＰＳに電気的に接続し、信号出力端部ＰＧを介して電子システムＰＳに信号を伝達し、信号入力端部ＰＳ−Ｏｎを介してＰＳの発信する信号を受信する。
【００２１】
スイッチデバイス３０は、電源管理装置２８、第１の電源出力端部ＶＡ、第２の電源出力端部ＶＢおよび電子システムＰＳに電気的に接続し、電源管理装置２８から送信されたスイッチ制御信号に基づき、第１の電源出力端部ＶＡおよび第２の電源出力端部ＶＢが出力して電子システムＰＳに伝達する電力をオンまたはオフに切り換える。
【００２２】
インバータ２４は、例えば、ＤＣ−ＤＣコンバータでもよい。ＤＣ−ＤＣコンバータは、例えば、ＬＬＣ電流共振コンバータ（図３参照）、ダブルフォワードコンバーター（図４参照）またはシングルフォワードコンバーター（図５参照）でもよい。
【００２３】
図３を参照する。図３は、本考案の第１の実施形態による電源転換器の回路を示す図である。図３に示すように、インバータ２４は、ＬＬＣ電流共振コンバータで、スイッチデバイスＱ１、Ｑ２、Ｌｒ回路Ｌｒ、ＣＲ回路Ｃｒ、変圧器Ｔ、整流回路２４０およびフィルター回路２４２を有する。
【００２４】
スイッチデバイスＱ１、Ｑ２は、それぞれ整流器２２および制御装置２６と電気的に接続し、整流器２２の出力した直流電力を受け取り、制御装置２６の提供する信号によりオンまたはオフ状態の切り換えを行ない、直流の脈動(パルス)信号を出力する。本実施形態において、スイッチデバイスＱ１、Ｑ２は、ＭＯＳＦＥＴで、ゲート電極がそれぞれ制御装置２６に電気的に接続している。スイッチデバイスＱ１、Ｑ２のソース−ドレイン間には、それぞれダイオードＤが接続されているダイオード。Ｄは、スイッチデバイスＱ１、Ｑ２の寄生ダイオードでもよい。
【００２５】
Ｌｒ回路Ｌｒは、スイッチデバイスＱ１、Ｑ２に電気的に接続している。本実施形態において、Ｌｒ回路Ｌｒは、スイッチデバイスＱ１のソース電極とスイッチデバイスＱ２のドレイン電極との間に接続され、スイッチデバイスＱ１、Ｑ２をオンおよびオフ状態に交互に切り換える際に直流の脈動信号を受信する。ＣＲ回路Ｃｒは、Ｌｒ回路Ｌｒおよび変圧器Ｔの一次側コイルＮｐに電気的に接続している。ＣＲ回路Ｃｒは、直流の脈動信号の直流分量を隔離する以外に、Ｌｒ回路Ｌｒおよび一次側コイルＮｐのＬｍとともに共振回路を形成する。本実施形態において、変圧器Ｔは、センタータップ型トランスである。
【００２６】
整流回路２４０は、整流ダイオードＤ１、Ｄ２を有する。整流ダイオードＤ１、Ｄ２は、それぞれ変圧器Ｔの二次側コイルＮｓに電気的に接続して、変圧器Ｔの交流電力を高周波数の脈動成分を有する直流電力に変換する。フィルター回路２４２は、整流回路２４０に電気的に接続している。フィルター回路２４２は、例えば、ＣＬＣ回路であるが、これに限定されるものではない。フィルター回路２４２は、フィルター用インダクタＬ、フィルター用インダクタＬの両端にそれぞれ接続する平滑コンデンサーＣ１、Ｃ２を有し、整流ダイオードＤ１、Ｄ２の出力する直流電力の高周波数脈動成分を除去し、平滑な直流電力を出力する。
【００２７】
図４を参照する。図４は、本考案の第２の実施形態による電源転換器の回路を示す図である。図４に示すように、インバータ２４は、ダブルフォワードコンバータで、能動スイッチデバイスＳ１、Ｓ２、受動スイッチデバイスＤＲ１、ＤＲ２、整流回路２４０、フィルター回路２４２および変圧器Ｔを有する。変圧器Ｔは、一次側コイルＮｐおよび二次側コイルＮｓを有する。
【００２８】
能動スイッチデバイスＳ１、Ｓ２は、それぞれ整流器２２および制御装置２６と電気的に接続し、整流器２２の出力した直流電力を受け取り、制御装置２６の提供する信号によりオンまたはオフ状態の切り換えを行ない、直流の脈動信号を出力する。本実施形態において、能動スイッチデバイスＳ１、Ｓ２は、ＭＯＳＦＥＴで、ゲート電極がそれぞれ制御装置２６に電気的に接続している。能動スイッチデバイスＳ１、Ｓ２のソース−ドレイン間には、それぞれダイオードＤが接続されている。ダイオードＤは、能動スイッチデバイスＳ１、Ｓ２の寄生ダイオードでもよい。
【００２９】
受動スイッチデバイスＤＲ１は、能動スイッチデバイスＳ１および一次側コイルＮｐをブリッジ接続し、受動スイッチデバイスＤＲ２は、能動スイッチデバイスＳ２および一次側コイルＮｐをブリッジ接続している。本実施形態において、受動スイッチデバイスＤＲ１、ＤＲ２は、ダイオードである。
【００３０】
整流回路２４０は、整流ダイオードＤ１、Ｄ２からなり、二次側コイルＮｓに電気的に接続し、変圧器Ｔの交流電力を高周波数の脈動成分を有する直流電力に変換する。フィルター回路２４２は、整流回路２４０に電気的に接続している。フィルター回路２４２は、例えば、ＣＬＣ回路であるが、これに限定されるものではない。フィルター回路２４２は、フィルター用インダクタＬ、フィルター用インダクタＬの両端にそれぞれ接続する平滑コンデンサーＣ１、Ｃ２を有し、Ｄ１およびＤ２の出力する直流電力の高周波数脈動成分を除去し、穏やかな直流電力を出力する。
【００３１】
図５を参照する。図５は、本考案の第３の実施形態による電源転換器の回路を示す図である。図５に示すように、インバータ２４は、シングルフォワードコンバータで、能動スイッチデバイスＳ、受動スイッチデバイスＤＲ、Ｃ、Ｒ、変圧器Ｔ、整流回路２４０およびフィルター回路２４２を有する。
【００３２】
能動スイッチデバイスＳは、整流器２２および制御装置２６と電気的に接続し、整流器２２の出力した直流電力を受け取り、制御装置２６の提供する信号によりオンまたはオフ状態の切り換えを行ない、直流の脈動信号を出力する。本実施形態において、能動スイッチデバイスＳは、ＭＯＳＦＥＴで、ゲート電極がそれぞれ制御装置２６に電気的に接続している。能動スイッチデバイスＳのソース−ドレイン間には、ダイオードＤが接続されている。ダイオードＤは、能動スイッチデバイスＳの寄生ダイオードでもよい。受動スイッチデバイスＤＲおよびコンデンサＣは、直列接続し、変圧器Ｔの一次側コイルＮｐにブリッジ接続している。抵抗器ＲおよびコンデンサＣは、並列接続している。本実施形態において、受動スイッチデバイスＤＲは、ダイオードである。
【００３３】
整流回路２４０は、受動スイッチデバイスＤ１、Ｄ２からなり、二次側コイルＮｓに電気的に接続し、変圧器Ｔの交流電力を高周波数の脈動成分を有する直流電力に変換する。フィルター回路２４２は、整流回路２４０に電気的に接続している。フィルター回路２４２は、例えば、ＣＬＣ回路であるが、これに限定されるものではない。フィルター回路２４２は、フィルター用インダクタＬ、フィルター用インダクタＬの両端にそれぞれ接続する平滑コンデンサーＣ１、Ｃ２を有し、Ｄ１およびＤ２の出力する直流電力の高周波数脈動成分を除去し、穏やかな直流電力を出力する。
【００３４】
再び図２を参照する。電源供給装置２は、第１のディスコネクトスイッチ３２、第２のディスコネクトスイッチ３４および第３のディスコネクトスイッチ３６をさらに含む。第１のディスコネクトスイッチ３２、第２のディスコネクトスイッチ３４および第３のディスコネクトスイッチ３６は、例えば、それぞれフォトカプラでもよいが、これに限定されるものではない。
【００３５】
第１のディスコネクトスイッチ３２は、一方の端部が信号発射端部で、スタンバイ電源出力端部Ｖｓｂおよび第２の電源出力端部ＶＢに電気的に接続し、もう一方の端部が信号受信端部で、制御装置２６に電気的に接続していることにより、スタンバイ電源出力端部Ｖｓｂおよび第２の電源出力端部ＶＢから出力する電力を検出し、この出力電力に対応する信号を隔離して制御装置２６に伝達する。
【００３６】
第２のディスコネクトスイッチ３４は、一方の端部が信号発射端部で、電源管理装置２８に電気的に接続し、もう一方の端部が信号受信端部で、制御装置２６に電気的に接続している。電子システムＰＳまたは電源供給装置２が、作業電圧または作業電流が大きすぎたり、ショートしたりした状態で作業をしていると、電源管理装置２８がこれらの保護信号を発信し、第２のディスコネクトスイッチ３４を介して制御装置２６に伝達され、制御装置２６がインバータ２４にエネルギー転換を中止させる。
【００３７】
第３のディスコネクトスイッチ３６は、一方の端部が信号発射端部で、制御装置２６に電気的に接続し、もう一方の端部が信号受信端部で、電源管理装置２８に電気的に接続している。インバータ２４のエネルギー転換後の電力が正常である場合、制御装置２６が制御信号を発信するが、電源管理装置２８は、第３のディスコネクトスイッチ３６を介してこの制御信号を受信し、信号出力端部ＰＧにより電源供給装置２の電源作動が正常であることを電子システムＰＳに伝える。
【００３８】
図６を参照する。図６は、図２の電源供給装置の動作を示すシーケンス図である。図６に示すように、第１の状態において、時間がｔ１〜ｔ７で表される。この範囲において、交流電力供給器ＡＣＰがオン（ＡＣ−Ｏｎが高電位）で、電子システムＰＳがオン（信号入力端部ＰＳ‐Ｏｎが低電位）である。スイッチデバイス３０がオフで、電源供給装置２のスタンバイ電源出力端部Ｖｓｂ、第１の電源出力端部ＶＡおよび第２の電源出力端部ＶＢが出力する電力がすべて電子システムＰＳに伝達される。
【００３９】
第２の状態において、時間がｔ７〜ｔ９で表される。この範囲において、交流電力供給器ＡＣＰがオン（ＡＣ−Ｏｎが高電位）で、電子システムＰＳがオフ（信号入力端部ＰＳ−Ｏｎが高電位）である。スイッチデバイス３０がオンで、電源供給装置２のスタンバイ電源出力端部Ｖｓｂの出力する電力が電子システムＰＳに伝達される。第１の電源出力端部ＶＡおよび第２の電源出力端部ＶＢの出力する電力は、スイッチデバイス３０がオンであるため、電子システムＰＳに伝達されない。
【００４０】
第３の状態において、時間がｔ９〜ｔ１１で表される。この範囲において、交流電力供給器ＡＣＰがオン（ＡＣ−Ｏｎが高電位）で、電子システムＰＳがオフからオン（ＰＳ‐Ｏｎが高電位から低電位へ）である。スイッチデバイス３０がオフで、電源供給装置２のスタンバイ電源出力端部Ｖｓｂ、第１の電源出力端部ＶＡおよび第２の電源出力端部ＶＢが同時に電力を電子システムＰＳに出力する。
【００４１】
第４の状態において、時間がｔ１１以降の部分である。この範囲において、交流電力供給器ＡＣＰがオフ（ＡＣ‐Ｏｎが低電位）で、電子システムＰＳがオン（ＰＳ‐Ｏｎが低電位）である。インバータ２４の出力する電圧が第１の所定値（ｔ１１〜ｔ１２）より小さい。電源供給装置２の信号出力端部ＰＧが電子システムＰＳに信号を送信することにより、電源供給装置２の出力する電圧が第１の所定値より小さいことをＰＳに伝える。インバータ２４出力した電圧が第２の所定値（ｔ１２〜ｔ１３）より小さい場合、スイッチデバイス３０がオンで、第１の電源出力端部ＶＡおよび第２の電源出力端部ＶＢの出力する電力が電子システムＰＳに伝達されない。インバータ２４の出力した電圧が第３の所定値より小さい場合、スタンバイ電源出力端部Ｖｓｂが電子システムＰＳに電力を出力するのを中止する。
【００４２】
図７を参照する。図７は、図２の電源供給装置の動作を示すもう一つのシーケンス図である。図７に示すように、第１の状態において、時間がｔ１〜ｔ２で表される。この範囲において、交流電力供給器ＡＣＰがオン（ＡＣ−Ｏｎが高電位）で、電子システムＰＳがオン（ＰＳ−Ｏｎが低電位）である。インバータ２４の出力する電圧が所定値より大きい場合、スタンバイ電源出力端部Ｖｓｂが電子システムＰＳに電力を出力する。
【００４３】
第２の状態において、時間がｔ２〜ｔ３で表される。この範囲において、交流電力供給器ＡＣＰがオン（ＡＣ−Ｏｎが高電位）で、電子システムＰＳがオフ（ＰＳ−Ｏｎが高電位）である。スイッチデバイス３０がオンで、電源供給装置２のスタンバイ電源出力端部Ｖｓｂの出力する電力がＰＳに伝達される。第１の電源出力端部ＶＡおよび第２の電源出力端部ＶＢの出力する電力は、３０がオンであるため、電子システムＰＳに伝達されない。つまり、電源供給装置２は、待機状態に入る。
【００４４】
図７で示すｔ３〜ｔ５は、図６のｔ９〜ｔ１１と同じである。また、図７のｔ５〜ｔ８は、図６のｔ１１〜ｔ１４と同じである。
【００４５】
以上のように、本考案の電源供給装置２は、従来の電源供給装置１と異なり、付属していた電源転換器を設ける必要がなくなり、電源供給装置２の体積を効果的に縮小する以外に、エネルギー消耗を減少させ、待機時における省エネを実現させることができる。
【００４６】
図８を参照する。図８は、本考案の第２の実施形態による電源供給装置の回路を示すブロック図である。図８に示す電源供給装置２Ａは、第１の実施形態の電源供給装置２とほぼ同様であるため、異なる部分のみ説明を加える。電源供給装置２Ａは、ＤＣ―ＤＣコンバータ３８をさらに含み、インバータ２４は、第１の電源出力端部ＶＡのみを有する。
【００４７】
ＤＣ―ＤＣコンバータ３８は、インバータ２４の第１の電源出力端部ＶＡおよび電源管理装置２８に電気的に接続している。ＤＣ―ＤＣコンバータ３８は、第２の電源出力端部ＶＢ、第３の電源出力端部ＶＣおよびスタンバイ電源出力端部Ｖｓｂを有する。ＤＣ―ＤＣコンバータ３８は、インバータ２４の第１の電源出力端部ＶＡが出力する直流電力を受け取り、直流電力に対してエネルギー転換を行い、第２の電源出力端部ＶＢ、第３の電源出力端部ＶＣおよびスタンバイ電源出力端部Ｖｓｂから出力する。スイッチデバイス３０は、第１の電源出力端部ＶＡ、第２の電源出力端部ＶＢおよび第３の電源出力端部ＶＣに電気的に接続し、電源管理装置２８の送信したスイッチ制御信号により、第１の電源出力端部ＶＡ、第２の電源出力端部ＶＢおよび第３の電源出力端部ＶＣから出力し、電子システムＰＳに伝達された電源のオンまたはオフの切り換えを行なう。スタンバイ電源出力端部Ｖｓｂは、電子システムＰＳに電気的に接続している。
【００４８】
第１のディスコネクトスイッチ３２は、第１の電源出力端部ＶＡに電気的に接続し、第１の電源出力端部ＶＡの出力する電力を制御装置２６に伝達する。電源供給装置２Ａの各デバイスの働きは第１の実施形態の電源供給装置２と同様であるため、説明を省略するが、電源供給装置２Ａは、少なくとも電源供給装置２と同様の機能を有する。
【００４９】
図９を参照する。図９は、本考案の第３の実施形態による電源供給装置の回路を示すブロック図である。図９に示す電源供給装置２Ｂは、第１の実施形態の電源供給装置２とほぼ同様であるため、異なる部分のみ説明を加える。電源供給装置２Ｂは、ＤＣ−ＤＣコンバータ３８およびスタンバイ電源インバータ４０をさらに含み、インバータ２４は、第１の電源出力端部ＶＡおよびスタンバイ電源出力端部Ｖｓｂを有する。
【００５０】
ＤＣ―ＤＣコンバータ３８は、インバータ２４の第１の電源出力端部ＶＡおよび電源管理装置２８に電気的に接続している。ＤＣ−ＤＣコンバータ３８は、第２の電源出力端部ＶＢおよび第３の電源出力端部ＶＣを有する。ＤＣ−ＤＣコンバータ３８は、インバータ２４の第１の電源出力端部ＶＡが出力する直流電力を受け取り、直流電力に対してエネルギー転換を行い、第２の電源出力端部ＶＢおよび第３の電源出力端部ＶＣから出力する。スイッチデバイス３０は、第１の電源出力端部ＶＡ、第２の電源出力端部ＶＢおよび第３の電源出力端部ＶＣに電気的に接続し、電源管理装置２８の送信したスイッチ制御信号により、第１の電源出力端部ＶＡ、第２の電源出力端部ＶＢおよび第３の電源出力端部ＶＣから出力し、電子システムＰＳに伝達された電源のオンまたはオフの切り換えを行なう。
【００５１】
スタンバイ電源インバータ４０は、インバータ２４、電源管理装置２８および電子システムＰＳに電気的に接続している。スタンバイ電源インバータ４０は、インバータ２４のスタンバイ電源出力端部Ｖｓｂが出力する直流電力を受け取り、直流電力に対してエネルギー転換を行い、電子システムＰＳに出力する。第１のディスコネクトスイッチ３２は、第１の電源出力端部ＶＡに電気的に接続し、第１の電源出力端部ＶＡの出力する電力を２６に伝達する。電源供給装置２Ｂの各デバイスの働きは第１の実施形態の電源供給装置２と同様であるため、説明を省略するが、電源供給装置２Ｂは、少なくとも電源供給装置２と同様の機能を有する。
【００５２】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で規定した内容を基準とする。
【符号の説明】
【００５３】
１  電源供給装置
２  電源供給装置
２Ａ  電源供給装置
２Ｂ  電源供給装置
１０  ＥＭＩフィルター
１１  整流器
１２  メインインバータ
１３  サブインバータ
１４  第１の制御装置
１５  第２の制御装置
１６  電源管理装置
２０  ＥＭＩフィルター
２２  整流器
２４  インバータ
２６  制御装置
２８  電源管理装置
３０  スイッチデバイス
３２  第１のディスコネクトスイッチ
３４  第２のディスコネクトスイッチ
３６  第３のディスコネクトスイッチ
３８  ＤＣ―ＤＣコンバータ
４０  スタンバイ電源インバータ
２２０  力率改善回路
２４０  整流回路
２４２  フィルター回路
ＡＣＰ  交流電力供給器
Ｃ  コンデンサ
ＣＲ  ＣＲ回路
Ｃ１  平滑コンデンサ
Ｃ２  平滑コンデンサ
ＤＲ  受動スイッチデバイス
ＤＲ１  受動スイッチデバイス
ＤＲ２  受動スイッチデバイス
Ｄ１  整流ダイオード
Ｄ２  整流ダイオード
Ｌ  フィルター用インダクタ
Ｌｒ  Ｌｒ回路
Ｎｐ  一次側コイル
Ｎｓ  二次側コイル
ＯＣ１  第１のアイソレータ
ＯＣ２  第２のアイソレータ
ＯＣ３  第３のアイソレータ
ＯＣ４  第４のアイソレータ
ＰＧ  信号出力端部
ＰＳ  電子システム
ＰＳ−ＯＮ  信号入力端部
Ｑ１  スイッチデバイス
Ｑ２  スイッチデバイス
Ｒ  抵抗器
Ｓ  能動スイッチデバイス
Ｓ１  能動スイッチデバイス
Ｓ２  能動スイッチデバイス
Ｔ  変圧器
ＶＡ  第１の電源出力端部
ＶＢ  第２の電源出力端部
ＶＣ  第３の電源出力端部
Ｖｓｂ  スタンバイ電源出力端部
【図１】
0003186001.tif 000003
【図２】
0003186001.tif 000004
【図３】
0003186001.tif 000005
【図４】
0003186001.tif 000006
【図５】
0003186001.tif 000007
【図６】
0003186001.tif 000008
【図７】
0003186001.tif 000009
【図８】
0003186001.tif 000010
【図９】
0003186001.tif 000011